(57)【要約】【課題】チャイルドシートから、５点ストラップを自動車のシートベルトに交換する及びその逆を行う本問題の解決を促進する。【解決手段】本発明の目的は、チャイルドシートから、５点ストラップを自動車のシートベルトに交換する及びその逆を行う本問題の解決を促進することにあり、そのため、これら二つのシートレイアウト間において、完全に信頼性のある方法で（例えばフールプルーフ）、そして完全に効果的な方法で、困難無しにだれもが交換することができ、これらの利点に到達するために、本発明によって提案された前記チャイルドシートは、前記ストラップが前記シートの快適性及び安全性に影響を与えることなく、隠れた場所に収容され得る特定の構造を有する。加えて、前記チャイルドシートは、前記シートのヘッドレストを子供の成長に応じて上昇させることができる機構に関する手段を備える。【選択図】図４
2017077876.tif 000002
【特許請求の範囲】
【請求項１】
子供を保持するストラップと、高さ調整可能なヘッドレストとを備えるチャイルドシートにおいて、
不使用時に前記ストラップを隠すことが可能な構造と、
前記ヘッドレストを移動させる機構と
を備えることを特徴とするチャイルドシート。
【請求項２】
前記構造は、前記ストラップ及び該ストラップに対応するベルトの受け位置のために、前記受け位置にて前記ストラップを保持するのに適合した保持要素を備えており、
柔軟なカバーが前記保持要素を覆うこと
を特徴とする請求項１に記載のチャイルドシート。
【請求項３】
前記構造は、ストラップシステムに含まれる股ストラップの受け位置のために、対応するカバーと共に空洞を座部に有すること
を特徴とする請求項１に記載のチャイルドシート。
【請求項４】
前記ヘッドレストの移動に使用する前記機構は第１及び第２制御部を有し、
前記第１制御部は、前記ストラップが通常動作位置にあるときに使用され、
前記第２制御部は、前記ストラップが受け位置にあるときに使用されること
を特徴とする請求項１に記載のチャイルドシート。
【請求項５】
前記ヘッドレストの移動に使用される前記機構のための前記構造はロッキングシステムを有し、
該ロッキングシステムは、前記ストラップが通常動作位置にあるとき、前記第２制御部をロックし、前記ストラップが受け位置にあるとき、前記第２制御部をロックしないこと
を特徴とする請求項１又は４に記載のチャイルドシート。
【請求項６】
子供が小さい場合における５点ストラップのための摺動要素と、
子供が成長した場合における前記ヘッドレストの移動のための他の摺動要素と
を備え、
前記摺動要素及び他の摺動要素は独立していること
を特徴とする請求項１から５のいずれか一つに記載のチャイルドシート。
【請求項７】
前記摺動要素及び他の摺動要素は、シャーシの上下ガイドによって案内されること
を特徴とする請求項６に記載のチャイルドシート。
【請求項８】
前記ロッキングシステムはロッキング装置を備え、
前記ロッキング装置は、ストラップ保持要素にリンク結合した少なくとも一つのロッキング要素を備え、
前記ストラップが前記保持要素及びロッキング要素の間に配置されたとき、前記ストラップは前記ロッキング要素を押し、子供が小さいときに前記ヘッドレストの摺動要素にて動作して前記摺動要素をロックし、
前記ロッキング要素は、子供が成長したときに前記ヘッドレストの摺動要素をアンロックすること
を特徴とする請求項５に記載のチャイルドシート。
【請求項９】
前記ロッキングシステムはロッキング装置を備え、
前記ロッキング装置は二つの異なる且つ独立したロッキング要素を有し、
前記ロッキング要素は、各ストラップそれぞれに関し、ストラップ保持要素に取り付けられていること
を特徴とする請求項５に記載のチャイルドシート。
【請求項１０】
前記ロッキング要素それぞれは、
二つの異なる位置を採用することができるチルティング軸と、
前記ロッキング要素を静止位置に戻すそれぞれの弾性要素と、
前記ヘッドレストの摺動要素をロックするか又はアンロックするのに適合した一又は複数のタブと
を有すること
を特徴とする請求項９に記載のチャイルドシート。
【発明の詳細な説明】
【技術分野】
【０００１】
本発明は、チャイルドシートに関する。
【背景技術】
【０００２】
一般的に幼児（一般的に４、５歳まで）のための安全ストラップを有するいくつかのタイプの自動車用チャイルドシートがあり、該チャイルドシートは、基本的に、股ストラップに対してバックルによって連結された二つのストラップを有し、前記シートはまた高さ調整可能なヘッドレストを有する。
【０００３】
これらのチャイルドシートは自動車の後部座席に装着され、前記自動車に設けられた手段、例えばＩｓｏｆｉｘシステムの下部プラットフォーム、に取り付けられる前記チャイルドシートを固定する機械手段を有する。
【０００４】
これらのシートのいくつかは、異なる年齢の子供による使用のために用意されており、そのため、チャイルドストラップ、いわゆる５点ベルトは、その長さを調整する手段と共に前記シートに取り付けられている。しかしながら、子供が成長すると（４又は５歳以降）、これらのストラップを交換し、代わりに自動車のシートベルトを、１２歳ぐらいになるまで、チャイルドシートに使用する必要がある。
【先行技術文献】
【特許文献】
【０００５】
【特許文献１】特開２０１５−１８９２９８号公報
【発明の概要】
【発明が解決しようとする課題】
【０００６】
このような場合、子供が成長すると（４又は５歳以降）、自動車のシートベルトを使用して、成長した子供をチャイルドシートに保持するので、前記シートに装着された５点ベルトは、チャイルドシートに対して邪魔であり、取り除かれる必要がある。一般に、シートから５点ベルトを取り除くのは煩雑であり、また長時間を要し、このような分解作業に不慣れな一般のユーザにとって難しい。
【０００７】
本発明の目的は、チャイルドシートから、５点ストラップを自動車のシートベルトに交換する及びその逆を行う本問題の解決を促進することにあり、そのため、これら二つのチャイルドシートレイアウト間において、完全に信頼性のある方法で（例えばフールプルーフ）、そして完全に効果的な方法で、困難無しにだれもが交換することができる。
【課題を解決するための手段】
【０００８】
これらの利点に到達するために、本発明によって提案された前記チャイルドシートは、前記ストラップが前記シートの快適性及び安全性に影響を与えることなく、隠れた場所に収容され得る特定の構造を有する。加えて、前記チャイルドシートは、前記シートのヘッドレストを子供の成長に応じて上昇させることができる機構に関する手段を備える。
【０００９】
前述した構造は、前記ストラップ及び該ストラップに相当するベルトの受け位置のために、前記シートの背もたれの前の受け位置にて、前記二つの５点ベルト・ストラップのための保持要素を備え、その上には、好ましくは柔軟な材料で構成されており、前記ストラップを保持するために前記要素を覆うカバーがあり、そして、股ストラップ及びバックルの受け位置のために、股ストラップ及びバックルを内側に保持する空洞が座部の一部にあり、この空洞は、完全な密閉のために、対応するカバーを有する。
【発明の効果】
【００１０】
ヘッドレストを動かすための前記機構は、チャイルドシートが小さい子供のために使用される場合（例えば、５点ベルトを使用する場合）にヘッドレストを移動させるのに適合した二つの独立した制御部を備え、チャイルドシートが成長した子供のために使用される場合（例えば、自動車のシートベルトを使用する場合）に、一の制御部はヘッドレストを動かすのに使用され、これらの一方が使用される間、他方の制御部は自動的にロックされ、その逆も行われるという特徴を有する。それ故、小さな子供が成長し、チャイルドシートが、５点ベルトの形態の最も高い位置にある場合、ユーザは同シート内に５点ベルトの種々の部品を（除去することなく）隠すことができ、そのときにのみ、チャイルドシートが成長した子供のための形態であるときに、ヘッドレストを移動させるのに、第２制御部（この時点でロックが解除されている）を使用することができる。
【００１１】
これら及びその他の特徴は、以下の詳細な説明によって最良に明示され、それらの理解は、本発明の範囲を制限しない例示方法によってのみ引用された実施形態を示す添付の８枚の図面によって容易に理解される。
【図面の簡単な説明】
【００１２】
【図１】例えば、設置された５点ベルトを使用し、幼児のために準備された本発明が参照するチャイルドシートを示す正面図である。
【図２】装飾の記載を省略した図１に示すチャイルドシートの斜視図である。
【図３】例えば、チャイルドシートを成長した子供に適合させるためにユーザが５点ストラップを隠した場合において、受け位置における５点ストラップのレイアウトを示す詳細な前方斜視図である。
【図４】受け位置における股ストラップ及びストラップバックルの収容の詳細を示す図２に類似した視点での斜視図である。
【図５】成長した子供による使用のために準備された、すなわち５点ベルトが隠されたときのチャイルドシートを示す正面図である。
【図６】両レイアウトにおけるヘッドレストの上下動のための二つの独立した制御部を示す図５のチャイルドシートの背面図である。
【図７】受け位置及び動作位置それぞれにおけるヘッドレストの移動のための二つの制御部の一方のロッキング装置を略示する側面断面図である。
【図８】成長した子供のためのシート態様（すなわち５点ベルトが隠された態様）における装飾の記載を省略したチャイルドシートを略示しており、特に、対応する制御部によって調整することができる二つの異なるヘッドレストの高さ位置におけるチャイルドシートを略示する正面側斜視図である。
【図９】成長した子供による使用のために準備された、すなわち５点ベルトが隠された装飾及びバックプレートの記載を省略したチャイルドシートを前方から視認した分解斜視図である。
【図１０】チャイルドシートの二つの態様における前記ストラップ及びロッキング装置の隠しシステムを示す部分平面断面図であり、左側においては、前記ストラップは動作位置にあり、一方、右側においては、前記ストラップは非動作位置にある（隠されている）。
【発明を実施するための形態】
【００１３】
図によれば、自動車用チャイルドシート（１）は背面部（２９）及び座部（２２）の一部を、この特別な場合においては、下プラットフォーム（２７）上に備え、下プラットフォーム（２７）は、対応する調整制御部（２５）を用いて自動車に固定するためのＩｓｏｆｉｘタイプシステムを自動車に組み入れることができる。
【００１４】
選択的に、前記チャイルドシート（１）は、制御部（２８）での動作によって、下プラットフォーム（２７）の水平面に対し、傾斜し得る。
【００１５】
図１に示すように、このチャイルドシート（１）はまたヘッドレスト（８）を備え、図８に示すように、対応する制御部での動作によって、ヘッドレスト（８）は異なる高さに調整され得る。
【００１６】
図２に示すように、チャイルドシート（１）は、二つの垂直ストラップ（２、３）を含む５点ストラップシステムを備え、該垂直ストラップ（２、３）はバックルの上部（４ａ）を通過し、子供が小さいときにシートベルトのように働くために、下方に延びて下部（５、６）を構成し、股ストラップ（７）はバックルの下部（４ｂ）に取り付けられている。バックルの上部（４ａ）及び下部（４ｂ）は上下に分離可能に構成されている。
【００１７】
図１又は図２に示すように、これらの垂直ストラップ（２、３）は、小さい子供の快適性をより向上させる為に、プロテクター（２１）それぞれと結合することができる。
【００１８】
これらの５点ストラップ（２、３、４ａ、４ｂ、５、６、７）は従来の機構によって調整可能であり、チャイルドシート（１）の下部から突出したベルト（２６）の前端部を引っ張るか又は離すことによって、子供の実寸に適合する。
【００１９】
背もたれ（２９）の前側に保持要素（９）が設けられている。これらの５点ストラップ（２、３、４ａ、４ｂ、５、６、７）はユーザによって隠し受け位置に配され得るものであり、その目的のために、これらの垂直ストラップ（２及び３）を、成長した子供の視認から隠す、好ましくは柔軟なカバー（１０）と共に（図２参照）、背もたれ（２９）の前側にて（図３参照）保持要素（９）の後側に配置する。
【００２０】
バックルの上部（４ａ）及び下部（４ｂ）を分離させて、バックルの下部（４ｂ）及び股ストラップ（７）に関し、ユーザは、それらを受け位置に配置することができ、その目的のために、図４に示すように、椅子（チャイルドシート）（１）の座部（２２）の一部に、バックルの下部（４ｂ）及び股ストラップ（７）が収容される空洞（１１）がある。この空洞（１１）は、バックルの下部（４ｂ）及び股ストラップ（７）を、その内側に収容するのに必要な寸法を有し、成長した子供を煩わせないためにカバー（１２）によって閉じられる。このカバー（１２）にアクセスするために、ユーザは座部（２２）の部分を覆う装飾を取り除き、空洞（１１）を認め得る座部（２２）の内側部（２３）に到達しなければならない。
【００２１】
図６に示すように、ヘッドレスト（８）を移動させる機構は少なくとも第１制御部（１２ａ）及び第２制御部（１３）を備え、第１制御部（１２ａ）は背もたれの下部に配置されており、第２制御部（１３）はヘッドレスト（８）の柱上部に配置されている。チャイルドシートが小さい子供に使用される場合に（図１参照）、第１制御部（１２ａ）はヘッドレスト（８）を移動させるのに使用され、一方、チャイルドシートが成長した子供に使用される場合に（図５参照）、第２制御部（１３）はヘッドレスト（８）を移動させるのに使用される。
【００２２】
これらの制御部（１２ａ、１３）それぞれは、ヘッドレスト（８）を異なる高さに配置することができる。
【００２３】
本発明の好ましい実施形態においては、５点ベルト（ストラップ）を保持する摺動要素（１８）と、ヘッドレストを保持する摺動要素（１９）とがあり、これらは、５点ベルト又はヘッドレスト（８）をチャイルドシートシャーシの上下軸（１７）に沿って、それぞれ上下に異なる高さに移動させる。
【００２４】
この機構の大きな利点は、第１制御部（１２ａ）が使用されている間、第２制御部（１３）はロックされることであり、そのために、ヘッドレスト（８）の移動に使用される前記機構にロッキング装置（１４）がある（図７ａ、図９参照）。ロッキング装置（１４）は二つの異なる位置、すなわち５点ベルトを保持する摺動要素をロックし、同時にヘッドレストを保持する摺動要素（１９）をロックしない位置、及び５点ベルトを保持する摺動要素（１８）をロックせず、同時にヘッドレストを保持する摺動要素（１９）をロックする位置に配される。ロッキング装置（１４）は背もたれ（２９）に設けられている。
【００２５】
図７ａ、図７ｂ及び図１０に示すように、これら二つの異なる位置でのロッキング装置（１４）は、以下の態様において、機能するか又は機能しない。すなわち、チャイルドシート（１）が、ストラップ（２、３）を用いて、小さい子供のために動作位置に設定されている場合（図７ａ及び図１０の左側参照）、ストラップ（２、３）毎に一つずつ二つのロッキング要素（１４ａ、１４ｂ）があり、前記ロッキング要素（１４ａ、１４ｂ）は第１位置にあり、５点ベルトを保持する摺動要素（１８）はロックされず、それ故、前記摺動要素（１８）は、チャイルドシートのガイド又は上下軸（１７）に沿って自由に移動することができ、下側の制御部（１２ａ）の操作に従って異なる高さを採用する。
【００２６】
ユーザが、受け位置を使用して（図７ｂ及び図１０の右側参照）、前記ストラップ（２及び３）を隠し、チャイルドシート（１）を成長した子供用の姿勢に配置したい場合、これらのロッキング装置（１４）は機能し、５点ベルト（ストラップ）を保持する摺動要素（１８）をロックし、同時にヘッドレストを保持する摺動要素（１９）をロックしない。この第２位置において、５点ベルト（ストラップ）を保持する摺動要素（１８）は特定の場所に固定され、一方、ヘッドレストを保持する摺動要素（１９）は、上側の制御部（１３）によって設定された、異なる高さに従って、上側に自由に移動することができる。この位置において、ユーザはもはや下側の制御部（１２ａ）を操作することはできない。
【００２７】
図９に示すように、好ましくは、５点ベルトを保持する摺動要素（１８）及びヘッドレストを保持する摺動要素（１９）は、チャイルドシート（１）のシャーシ（１６）の上下中心ガイド（上下軸）（１７）によって案内されて、上下に移動する。
【００２８】
好ましい実施の形態によれば、図７ａ及び図７ｂに示すように、５点ベルトを保持する摺動要素（１８）は、ストラップ保持要素（９）、ロッキング要素（１４ａ、１４ｂ）、及び子供が小さい場合にヘッドレスト（８）を移動させるために下側の制御部（１２ａ）にリンク結合され、５点ベルトを後部にて固定する要素（２０）を備える。この５点ベルトを保持する摺動要素（１８）はまた、その上部に、ヘッドレストを保持する摺動要素（１９）の移動に対する下側ストッパであるもう一つの追加部分（３１）を備えることができる。
【００２９】
好ましい実施の形態によれば、図９に示すように、ヘッドレスト（８）を保持する摺動要素（１９）は、上側の制御部（１３）を備えるヘッドレスト（８）のシャーシを備え、ヘッドレスト（８）を保持する摺動要素（１９）をロックするか又はロックせず、異なる高さに設定する上下ガイドがある。
【００３０】
ヘッドレスト（８）を移動させる制御部の一つである前記ロッキング装置（１４）及びその操作は図７ａ、図７ｂ、また図９に明確に表れている。最初の図７ａにおいて、動作位置にあるストラップ（２及び３）が示され、一方、次の図７ｂにおいて、ストラップ（２及び３）は保持要素（９）の背後に隠されている。第２位置において（図７ｂ参照）、ストラップ（２及び３）が保持片、すなわち保持要素（９）の背後を通過しているとき、ストラップは前記保持片（保持要素）（９）の背後にあるロッキング要素（１４ａ、１４ｂ）、すなわちロッキング装置（１４）を押す。この一又は複数のロッキング要素（１４ａ、１４ｂ）は、５点ベルトを保持する摺動要素（１８）をロックし、同時に、子供が成長した場合にヘッドレストを移動させるために、上側の制御部（１３）をロックしない。
【００３１】
これら図７ａ、図７ｂ及び図９に示すように、二つのロッキング要素（１４ａ、１４ｂ）は、ストラップ（２及び３）の保持要素（９）にリンク結合されており、そのため、ストラップ（２及び３）が、保持要素（９）と、これらのストラップ（２及び３）を隠すロッキング要素（１４）との間に位置するとき、ストラップはロッキング要素（１４）を押し、ロッキング要素（１４）はストラップの位置を変更し、対応する制御部（１３）による上下方向の移動のために、ヘッドレストを保持する摺動要素（１９）を解放する。
【００３２】
ロッキング装置（１４）の好ましい実施形態によれば、図７、１０に示すように、ロッキング装置（１４）は、ロッキングシャフト（３０）を有する二つのロッキング要素（１４ａ、１４ｂ）、ロッキング要素を静止位置に戻すためのばね（３２ａ、３２ｂ）等の弾性要素、及びヘッドレストの移動のための摺動要素（１９）のロック又はアンロックを実行する一又は複数のタブ（３３ａ、３３ｂ）を備える。二つのロッキング要素（１４ａ、１４ｂ）は左右にそれぞれ配置されており、保持要素（９）の後側に配置されている。二つのロッキング要素（１４ａ、１４ｂ）は、二つのばね（３２ａ、３２ｂ）によって、それぞれ前方に付勢されている。二つのストラップ（２及び３）は、二つのロッキング要素（１４ａ、１４ｂ）及び保持要素（９）の間において、狭持される。
【００３３】
このロッキング装置（１４）は、好ましくは、ベルト（ストラップ）それぞれに対する独立部分（ロッキング要素）（１４ａ、１４ｂ）によって構成され、そのため、二つのベルト（ストラップ）が隠されていない場合、子供が成長したときに、ヘッドレストの移動のための摺動要素（１９）をアンロックすることはできない。
【００３４】
図９は、ストラップの保持要素（９）の可能な態様を示しており、保持要素は、二つのサイドウイングを含むボディによって構成され、二つのサイドウイングと、ロッキング要素（１４ａ、１４ｂ）それぞれの上部表面との間に、ストラップ（２、３）を内側で保持するのに十分な空間が確保されるような態様で、装着されている。
【００３５】
子供が小さいときに５点ベルトを保持する摺動要素（１８）及び子供が成長したときにヘッドレストを移動させるための摺動要素（１９）は、本発明の本質を変えることなく、その態様及び構成を変更することができる。
【００３６】
チャイルドシート（１）の装飾は、好ましくは、背もたれの前側にスカート（１５）を有し、該スカート（１５）はカバー（１０）を覆い、ストラップ（２、３）を隠すために後部に到達できるようにする。
【００３７】
チャイルドシート（１）の装飾はまた、好ましくは、座部（２２）の下部を覆う布又は織物（２３）を座部（２２）に備える。
【００３８】
本発明は、本発明の本質の範囲内において、単に例示された上述の実施形態と非本質的な部分のみが異なる他の実施形態にて実現され得るものであり、前記他の実施形態はまた、請求された保護範囲内にある。
【００３９】
この自動車用チャイルドシートは、それ故、最適な手段及び材料によって、また最も便利な付属品によって、如何なる形状及び寸法でも製造し得るものであり、またその構成は技術的に等価な他のものによって置換し得るものであり、これらの全ては特許請求の範囲内に含まれる。
【符号の説明】
【００４０】
２、３  ストラップ
７  股ストラップ
８  ヘッドレスト
９  保持要素
１０  カバー
１１  空洞
１２  カバー
１２ａ  第１制御部
１３  第２制御部
１４  ロッキング装置
１４ａ、１４ｂ  ロッキング要素
１６  シャーシ
１７  上下軸（上下ガイド）
１８、１９  摺動要素
２２  座部
３０  ロッキングシャフト（チルティング軸）
３２ａ、３２ｂ  弾性要素
３３ａ、３３ｂ  タブ
【図１】
2017077876.tif 000003
【図２】
2017077876.tif 000004
【図３】
2017077876.tif 000005
【図４】
2017077876.tif 000006
【図５】
2017077876.tif 000007
【図６】
2017077876.tif 000008
【図７】
2017077876.tif 000009
【図８】
2017077876.tif 000010
【図９】
2017077876.tif 000011
【図１０】
2017077876.tif 000012